Podtech/llm-jp-corpus-v4-ja_patent huggingface dataset:
【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
真菌感染を処置が必要な被験体における真菌感染の処置または阻害における使用のための組成物であって：
２０〜２５のアミノ酸であって、そして配列番号１５または配列番号５を含むペプチド、または配列番号５のペプチド誘導体であって、少なくとも１つのシステイン残基がセリンまたはスレオニン残基で置換されるペプチド誘導体であって、該ペプチドまたはペプチド誘導体は薬学的に受容可能なキャリア中に含まれる、ペプチドまたはペプチド誘導体の治療的に有効な量を含む、組成物。
【請求項２】
前記ペプチド誘導体が、Ｎ−末端に最も近いシステイン残基をセリンまたはスレオニンで置換した配列番号５を含む、請求項１に記載の組成物。
【請求項３】
前記ペプチド誘導体が、Ｃ−末端に最も近いシステイン残基をセリンまたはスレオニンで置換した配列番号５を含む、請求項１に記載の組成物。
【請求項４】
前記配列番号５のペプチド誘導体が：
チロシンで置換されたフェニルアラニン；
アラニンで置換されたグリシン；
アラニン、ロイシン、またはイソロイシンで置換されたバリン；
ロイシン、イソロイシンまたはバリンで置換されたアラニン；
アラニン、イソロイシンまたはバリンで置換されたロイシン；
バリン、ロイシンまたはアラニンで置換されたイソロイシン；
ヒスチジン、アルギニン、またはリジンで置換されたセリン；および
セリンで置換されたスレオニン、を含む少なくとも１つの置換をさらに含む、請求項１〜３のいずれか１項に記載の組成物。
【請求項５】
前記処置または阻害される真菌感染が、Ｃａｎｄｉｄａ  ｓｐｐ．、Ｓａｃｃｈａｒｏｍｙｃｅｓ  ｃｅｒｅｖｉｓｉａｅ、Ｈｉｓｔｏｐｌａｓｍａ  ｓｐｐ．、Ａｓｐｅｒｇｉｌｌｕｓ  ｓｐｐ．、およびＣｒｙｐｔｏｃｏｃｃｕｓによって引き起こされる、請求項１〜４のいずれか１項に記載の組成物。
【請求項６】
前記被験体が、哺乳動物である、請求項１〜５のいずれか１項に記載の組成物。
【請求項７】
前記ペプチドが、該ペプチドのＮ−末端上に１〜３の付加的アミノ酸、および該ペプチドのＣ−末端上に１〜２の付加的アミノ酸を有する、請求項１〜６のいずれか１項に記載の組成物。
【請求項８】
前記ペプチドが、以下の配列（配列番号１５）：
【化１】
2009503092.tif 000001
を含み、ここで、
Ｘ３は、ｐｈｅ、ｔｙｒ、ａｒｇ、ｌｙｓまたはｈｉｓであり；
Ｘ４は、ｃｙｓ、ｓｅｒ、ｔｈｒ、ａｒｇ、ｌｙｓまたはｈｉｓであり；
Ｘ５は、ｇｌｙ、ａｌａ、ａｒｇ、ｌｙｓまたはｈｉｓであり；
Ｘ６は、ｇｌｙ、ａｌａ、ａｒｇ、ｌｙｓまたはｈｉｓであり；
Ｘ８、Ｘ９、Ｘ１７、およびＸ１８は、ａｌａ、ｌｅｕ、ｉｌｅまたはｖａｌであり；
Ｘ７、Ｘ１１およびＸ１４は、ａｌａ、ｌｅｕ、ｉｌｅ、ｖａｌ、ａｒｇ、ｌｙｓ、またはｈｉｓであり；
Ｘ１３は、ｐｈｅ、ｔｙｒ、ａｒｇ、ｌｙｓ、またはｈｉｓであり；
Ｘ１６は、ｓｅｒまたはｔｈｒであり；
Ｘ１９は、ｓｅｒ、ｔｈｒ、ｈｉｓ、ａｒｇまたはｌｙｓであり；
Ｘ２０は、ｓｅｒ、ｃｙｓまたはｔｈｒであり；
Ｒは、ａｒｇであり；
Ｈは、ｈｉｓであり；そして
Ｍは、ｍｅｔである、
請求項１〜７のいずれか１項に記載の組成物。
【請求項９】
前記Ｘ４がｃｙｓであり、そして前記Ｘ２０がｓｅｒまたはｔｈｒである、請求項８に記載の組成物。
【請求項１０】
前記Ｘ２０がｃｙｓであり、そして前記Ｘ４がｓｅｒまたはｔｈｒである、請求項８に記載の組成物。
【請求項１１】
Ｘ３、Ｘ４、Ｘ５、Ｘ６、Ｘ７、Ｘ１１、Ｘ１３およびＸ１４のうちの少なくとも１つが、アルギニン、リジンまたはヒスチジンである、請求項８〜１０のいずれか１項に記載の組成物。
【請求項１２】
前記ペプチドまたはペプチド誘導体が、ペグ化される、請求項１〜１１のいずれか１項に記載の組成物。
【請求項１３】
前記ペプチドが、１〜１５のアミノ酸を含むリンカー分子によりポリエチレングリコール分子に共有結合でペグ化される、請求項１２に記載の組成物。
【請求項１４】
２０〜２５アミノ酸を有し、、以下の配列（配列番号１５）：
【化２】
2009503092.tif 000002
を含むペプチドであって、ここで、
Ｘ３は、ｐｈｅ、ｔｙｒ、ａｒｇ、ｌｙｓまたはｈｉｓであり；
Ｘ４は、ｃｙｓ、ｓｅｒ、ｔｈｒ、ａｒｇ、ｌｙｓまたはｈｉｓであり；
Ｘ５は、ｇｌｙ、ａｌａ、ａｒｇ、ｌｙｓまたはｈｉｓであり；
Ｘ６は、ｇｌｙ、ａｌａ、ａｒｇ、ｌｙｓまたはｈｉｓであり；
Ｘ８、Ｘ９、Ｘ１７、およびＸ１８は、ａｌａ、ｌｅｕ、ｉｌｅまたはｖａｌであり；
Ｘ７、Ｘ１１およびＸ１４は、ａｌａ、ｌｅｕ、ｉｌｅ、ｖａｌ、ａｒｇ、ｌｙｓ、またはｈｉｓであり；
Ｘ１３は、ｐｈｅ、ｔｙｒ、ａｒｇ、ｌｙｓまたはｈｉｓであり；
Ｘ１６は、ｓｅｒまたはｔｈｒであり；
Ｘ１９は、ｓｅｒ、ｔｈｒ、ｈｉｓ、ａｒｇまたはｌｙｓであり；
Ｘ２０は、ｓｅｒ、ｃｙｓまたはｔｈｒであり；
Ｒは、ａｒｇであり；
Ｈは、ｈｉｓであり；そして
Ｍは、ｍｅｔであり、
Ｘ３、Ｘ４、Ｘ５、Ｘ６、Ｘ７、Ｘ１１、Ｘ１３およびＸ１４のうちの少なくとも１つが、アルギニン、リジンまたはヒスチジンである、ペプチド。
【請求項１５】
配列番号１５のＮ末端ＲからＮ末端方向に延びる１つまたは２つの付加的アミノ酸残基をさらに含む、請求項１４に記載のペプチド。
【請求項１６】
配列番号１５のＸ２０からＣ末端方向に延びる１つまたは２つの付加的アミノ酸残基をさらに含む、請求項１４〜１５のいずれかに記載のペプチド。
【請求項１７】
前記Ｘ４がｃｙｓであり、そして前記Ｘ２０がｓｅｒまたはｔｈｒである、請求項１４〜１６のいずれか１項に記載のペプチド。
【請求項１８】
前記Ｘ２０がｃｙｓであり、そして前記Ｘ４がｓｅｒまたはｔｈｒである、請求項１４〜１６のいずれか１項に記載のペプチド。
【請求項１９】
請求項１４〜１８のいずれか１項に記載のペプチドを含む第２のペプチドに結合された、請求項１４〜１８のいずれか１項に記載のペプチドを含む第１のペプチドを含む、キメラペプチド。
【請求項２０】
前記キメラペプチドがホモダイマーである、請求項１９に記載のキメラペプチド。
【請求項２１】
前記キメラペプチドがヘテロダイマーである、請求項１９に記載のキメラペプチド。
【請求項２２】
ポリエチレングリコール分子に結合体化された請求項１４〜２１のいずれか１項に記載のペプチドまたはキメラペプチドを含む、ペプチド結合体。
【請求項２３】
前記ペプチドが、１〜１５のアミノ酸を含むリンカー分子によりポリエチレングリコール分子に結合体化される、請求項２２に記載のペプチド結合体。
【請求項２４】
薬学的に受容可能なキャリア中に含まれる、請求項１４〜２３のいずれか１項に記載のペプチド、キメラペプチド、またはペプチド結合体を含む、医薬組成物。
【請求項２５】
請求項１４〜２１のいずれか１項に記載のペプチドまたはキメラペプチドをコードする、核酸。
【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
実質的に純粋なフルオロメチル１，１，１，３，３，３−ヘキサフルオロイソプロピルエーテル（セボフルラン）を、セボフルランと１，１，１，３，３，３−ヘキサフルオロイソロパノール（ＨＦＩＰ）を含むセボフルラン粗製物から得るための、次のステップからなる方法。
ａ）前記セボフルラン粗製物を与え、
ｂ）前記セボフルラン粗製物を十分な水と結合して多相混合物を生成し、
ｃ）その多相混合物を分留し、
ｄ）分留している多相混合物からセボフルランを水との共沸混合物として脱離し、
ｅ）その共沸混合物から実質的に純粋なセボフルランを分離する。
【請求項２】
前記セボフルラン粗製物が、ＨＦＩＰ、ホルムアルデヒドおよびフッ化水素（ＨＦ）を反応させるステップを有する方法によって生成される、請求項１に記載の方法。
【請求項３】
ＨＦＩＰ、ホルムアルデヒドおよびＨＦの理論余剰分を反応させるステップを有する、請求項２に記載の方法。
【請求項４】
ＨＦＩＰ、ホルムアルデヒドおよびＨＦを反応器内で反応させてセボフルラン粗製物を生成し、前記第１のセボフルラン粗製物から第２のセボフルラン粗製物を単離し、前記第２のセボフルラン粗製物に十分な水を加えて前記多相混合物を生成するステップを有する、請求項２に記載の方法。
【請求項５】
加圧下で行われる、請求項１に記載の方法。
【請求項６】
減圧下で行われる、請求項１に記載の方法。
【請求項７】
セボフルラン粗製物は、さらに、ビス（フルオロメチル）エーテル（ＢＦＭＥ）、メチルヘキサフルオロイソプロピルエーテル（ＭＨＦＩＰ）、メチル２，２，２−トリフルオロ−１−（トリフルオロメチル）エチルエーテル（ＳＭＥ）、およびＨＦＩＰとホルムアルデヒドを半々に含有するポリエーテルからなる群から選ばれた少なくとも一つの不純物を含む、請求項１に記載の方法。
【請求項８】
多相混合物を分留して、セボフルランの沸点よりも低い沸点を有する少なくとも一つの不純物からなる前留分を除去し、しかる後に、実質的に純粋なセボフルランからなる主留分を塔頂留出物として脱離するステップを有する、請求項１に記載の方法。
【請求項９】
実質的に純粋なセボフルランからなる主留分を脱離後、さらに、セボフルランの沸点よりも高い沸点を有する少なくとも一つの不純物からなる後留分を除去するステップを有する、請求項８に記載の方法。
【請求項１０】
次のステップからなる、実質的に純粋なフルオロメチル１，１，１，３，３，３−ヘキサフルオロイソプロピルエーテル（セボフルラン）を生成する方法。
ａ）ＨＦＩＰ、ホルムアルデヒドおよびフッ化水素（ＨＦ）を反応させてＨＦＩＰを含むセボフルラン粗製物を生成し、
ｂ）前記第１のセボフルラン粗製物から第２のセボフルラン粗製物を得、
ｃ）前記第２のセボフルラン粗製物に十分な水を結合して多相混合物を生成し、
ｄ）その多相混合物を分留し、
ｅ）分留している多相混合物からセボフルランを水との共沸混合物として脱離し、
ｆ）その共沸混合物から実質的に純粋なセボフルランを分離する。
【請求項１１】
ＨＦＩＰ、ホルムアルデヒドおよびＨＦの理論余剰分を反応させるステップを有する、請求項１０に記載の方法。
【請求項１２】
ＨＦＩＰ、ホルムアルデヒドおよびＨＦを反応器内で反応させて前記セボフルラン粗製物を生成し、第２のセボフルラン粗製物を単離し、前記第２のセボフルラン粗製物に前記十分な水を加えて前記多相混合物を生成するステップを有する、請求項１０に記載の方法。
【請求項１３】
加圧下で行われる、請求項１０に記載の方法。
【請求項１４】
減圧下で行われる、請求項１０に記載の方法。
【請求項１５】
セボフルラン粗製物は、さらに、ビス（フルオロメチル）エーテル（ＢＦＭＥ）、メチルヘキサフルオロイソプロピルエーテル（ＭＨＦＩＰ）、メチル２，２，２−トリフルオロ−１−（トリフルオロメチル）エチルエーテル（ＳＭＥ）、およびＨＦＩＰとホルムアルデヒドを半々に含有するポリエーテルからなる群から選ばれた少なくとも一つの不純物を含む、請求項１０に記載の方法。
【請求項１６】
多相混合物を分留して、セボフルランの沸点よりも低い沸点を有する少なくとも一つの不純物からなる前留分を除去し、しかる後に、実質的に純粋なセボフルランからなる主留分を塔頂留出物として脱離するステップを有する、請求項１０に記載の方法。
【請求項１７】
実質的に純粋なセボフルランからなる主留分を脱離後、さらに、セボフルランの沸点よりも高い沸点を有する少なくとも一つの不純物からなる後留分を除去し、かつ、場合によっては前記セボフルランの沸点よりも高い沸点を有する少なくとも一つの不純物をステップａ）に循環させるステップを有する、請求項１６に記載の方法。
【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
女性の乳房の乳頭の炎症を治療するための吸収パッドであって、冷却要素および粉乳要素を含み、前記乳頭が前記パッドで覆われ、前記冷却された乳要素が前記乳頭と接触し、前記パッドが治療期間中は前記乳頭に接触するよう維持される前記パッド。
【請求項２】
前記冷却要素が冷凍された物質である、請求項１に記載のパッド。
【請求項３】
前記冷却要素が吸熱性物質である、請求項１に記載のパッド。
【請求項４】
前記乳要素が脱脂乳である、請求項１に記載のパッド。
【請求項５】
前記吸収パッドがカバー要素に入れられ、前記カバーが不織繊維材から形成され、また前記乳要素が前記カバーで乾燥コーティング状になっている、請求項１に記載のパッド。
【請求項６】
前記カバー要素が、固体ポリマーを繊維状に変える前に前記乳要素が包含される固体ポリマーから形成される、請求項５に記載のパッド。
【請求項７】
新生児の授乳、おむつかぶれ、失禁によるかぶれ、痔、熱傷又は昆虫刺傷に起因する皮膚炎および／または炎症を治療するための吸収パッドであって、前記パッドが冷却要素および粉乳要素を含み、前記皮膚炎を前記パッドで覆い、前記乳要素が前記皮膚炎／炎症と接触し、治療期間中は前記皮膚炎／炎症に接触するよう維持される前記パッド。
【請求項８】
新生児の授乳、おむつかぶれ、失禁によるかぶれ、痔、熱傷又は昆虫刺傷に起因する皮膚炎および／または炎症を治療するためのブラジャー、おむつ、失禁症用下着又は粘着性ストリップの製造における吸収パッドの使用であって、前記治療が、
ａ）冷却要素および粉乳要素を含む吸収パッドで前記皮膚炎を覆うステップであって、前記乳要素が前記皮膚炎／炎症と接触するステップと、
ｂ）治療期間中は前記パッドを前記皮膚炎／炎症に接触するよう維持するステップと、
を含む、前記使用。
【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
経口送達用医薬組成物であって、酢酸プレドニゾロンの医薬的に有効な量を含む前記組成物。
【請求項２】
酢酸プレドニゾロンが、懸濁されている、請求項１に記載の医薬組成物。
【請求項３】
医薬的に許容され得るベヒクル及び増粘剤を更に含む、請求項２に記載の医薬組成物。
【請求項４】
約0.5mg/mL〜約5mg/mLの酢酸プレドニゾロンを含有する、請求項１に記載の医薬組成物。
【請求項５】
酢酸プレドニゾロンが、約1μm〜約30μmのメジアン粒子径を有する、請求項１に記載の医薬組成物。
【請求項６】
酢酸プレドニゾロンが、約5μm〜約20μmのメジアン粒子径を有する、請求項１に記載の医薬組成物。
【請求項７】
酢酸プレドニゾロンが、約6μm〜約8μmのメジアン粒子径を有する、請求項１に記載の医薬組成物。
【請求項８】
増粘剤が、カルボマーである、請求項３に記載の医薬組成物。
【請求項９】
ベヒクルが、グリセリンである、請求項３に記載の医薬組成物。
【請求項１０】
医薬的に許容され得る賦形剤を更に含む、請求項３に記載の医薬組成物。
【請求項１１】
湿潤剤を更に含む、請求項10に記載の医薬組成物。
【請求項１２】
展着剤を更に含む、請求項10に記載の医薬組成物。
【請求項１３】
安定剤を更に含む、請求項10に記載の医薬組成物。
【請求項１４】
防腐剤を更に含む、請求項10に記載の医薬組成物。
【請求項１５】
感覚受容物質を更に含む、請求項10に記載の医薬組成物。
【請求項１６】
感覚受容物質が、香味剤、甘味剤、マスキング剤及びそれらの組合わせからなる群より選ばれる、請求項15に記載の医薬組成物。
【請求項１７】
約4.0〜約5.9のpHを有する、請求項３に記載の医薬組成物。
【請求項１８】
約4.6〜約5.4のpHを有する、請求項３に記載の医薬組成物。
【請求項１９】
経口送達用医薬組成物であって、0.5mg/mL〜約5mg/mLの酢酸プレドニゾロン、約29〜約64%の水(w/w)、約50%までのグリセリン(w/w)、約20%までのソルビトール(w/w)、約10%までのプロピレングリコール(w/w)、約3%までの界面活性剤(w/w)及び約1%までの増粘剤(w/w)を含む前記組成物。
【請求項２０】
経口送達用医薬組成物であって、
a. 約5mg/mL〜約15mg/mLの酢酸プレドニゾロン、
b. 0.1%ポロキサマー188、
c. 50%グリセリン、
d. 5%結晶ソルビトール、
e. 5%プロピレングリコール、
f. 0.065%エデト酸二ナトリウム、
g. 0.2%スクラロース、
h. 0.44%カルボマー、
i. 0.04%ブチルパラベン、及び
j. 水酸化ナトリウム、
を含む前記医薬組成物。
【請求項２１】
pHが、約4.8〜約5.2である、請求項20に記載の医薬組成物。
【請求項２２】
プレドニゾロンを必要としている患者を治療するための、請求項１記載の医薬組成物。
【請求項２３】
患者が、内分泌疾患、リウマチ性疾患、膠原病、皮膚科的疾患、アレルギー状態、呼吸器疾患、血液学的疾患、腫瘍性疾患、水腫、胃腸病又は神経病からなる群より選ばれる病状を罹患している、請求項22に記載の医薬組成物。
【請求項２４】
プレドニゾロンを必要としている患者を治療するための薬剤の製造のためのプレドニゾロンの使用。
【請求項２５】
患者が、内分泌疾患、リウマチ性疾患、膠原病、皮膚科的疾患、アレルギー状態、呼吸器疾患、血液学的疾患、腫瘍性疾患、水腫、胃腸病又は神経病からなる群より選ばれる病状を罹患している、請求項24に記載の使用。
【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
−少なくとも一種の金属誘導体のナノ粒子、および
−該ナノ粒子に共有化学結合した少なくとも一種の有機サンフィルター誘導体、を含む複合材料の紫外線防護剤の形態における使用。
【請求項２】
前記サンフィルター誘導体が前記金属誘導体に共有化学結合されることを特徴とする、請求項１に記載の使用。
【請求項３】
前記金属誘導体が半導体特性を有することを特徴とする、請求項１または請求項２のいずれかに記載の使用。
【請求項４】
前記金属誘導体が紫外線を吸収することができることを特徴とする、請求項１〜３のいずれかに記載の使用。
【請求項５】
前記金属誘導体の金属が、チタン、亜鉛、セリウム、ジルコニウム、銅、およびそれらの混合物からなる群から選択されることを特徴とする、請求項１〜４のいずれかに記載の使用。
【請求項６】
前記金属誘導体の金属が、チタン、亜鉛、セリウム、およびそれらの混合物からなる群から選択されることを特徴とする、請求項１〜４のいずれかに記載の使用。
【請求項７】
前記金属誘導体が金属酸化物または金属酸化物の混合物である、請求項１〜６のいずれかに記載の使用。
【請求項８】
前記金属酸化物および前記混合物の金属酸化物が、二酸化チタン（ＴｉＯ2）、一酸化亜鉛（ＺｎＯ）、セリウム酸化物（Ｃｅ2Ｏ3およびＣｅＯ2）、二酸化ジルコニウム（ＺｒＯ2）および銅酸化物（ＣｕＯおよびＣｕ2Ｏ）からなる群から選択される、請求項７に記載の使用。
【請求項９】
前記金属酸化物および前記混合物の金属酸化物が、二酸化チタン（ＴｉＯ2）、一酸化亜鉛（ＺｎＯ）、およびセリウム酸化物（Ｃｅ2Ｏ3およびＣｅＯ2）からなる群から選択される、請求項７に記載の使用。
【請求項１０】
前記ナノ粒子が、２ｎｍ〜５０ｎｍ、有利には４ｎｍ〜３０ｎｍ、好ましくは６ｎｍ〜２０ｎｍ、なおさらに好ましくは８ｎｍ〜１０ｎｍの平均径を有することを特徴とする、請求項１〜９のいずれかに記載の使用。
【請求項１１】
サンフィルターが、２５０ｎｍ〜４００ｎｍの波長範囲にあるＵＶ線を吸収するサンフィルターから選択されることを特徴とする、請求項１〜１０のいずれかに記載の使用。
【請求項１２】
サンフィルターがカルボン酸官能基および／またはスルホン酸官能基の少なくとも一つを含有し、該官能基はそれらの塩に転化されるかまたは転化されないかのいずれかであるか、または、それらのエステルに転化されるかまたは転化されないかのいずれかであることを特徴とする、請求項１〜１１のいずれかに記載の使用。
【請求項１３】
サンフィルターが以下の式を有することを特徴とする、請求項１〜１２のいずれかに記載の使用：
Ｒ”−Ａ−Ｙ
式中、Ｒ”は２５０ｎｍ〜４００ｎｍの波長範囲にある紫外線を吸収する基を含むサンフィルター残基を表し、
Ａ−Ｙは、カルボキシル基ＣＯＯＹまたはスルホン基ＳＯ3Ｙを表し、Ｙが、
−水素原子、
−周期律表からのアルカリ金属またはアルカリ土類金属のカチオン、
−第１、第２、第３または第４アミンから誘導されるカチオンか、あるいはアンモニウムカチオン、および
−１〜３０個の炭素原子を含有する飽和または不飽和で、直鎖、分岐鎖または環式の炭化水素基、
から選択される。
【請求項１４】
サンフィルターが、
−４−アミノ安息香酸、
−アルキル基がＣ1〜Ｃ8アルキル基であり、場合によりヒドロキシル基を有してよい４−ジアルキルアミノ安息香酸、
−２−フェニルベンズイミダゾール−５−スルホン酸、
−３，３’−（１，４−フェニリデンジメチリデン）−ビス−（７，７−ジメチル−２−オキソビシクロ［２，２，１］−ヘプト−１−イルメタンスルホン）酸またはベンジリデン−カンファースルホン酸、
−α−（オキソ−２−ボルニリデン−３）−トルエン−４−スルホン酸またはテレフタリリデン−カンファースルホン酸、
−２−ヒドロキシ−４−メトキシベンゾフェノン−５−スルホン酸、
−２，２’−（１，４−フェニレン）−ビス−１Ｈ−ベンズイミダゾール−４，６−ジスルホン酸、
−サリチル酸、
−アルコキシ基がＣ1〜Ｃ10アルコキシ基である４−アルコキシ桂皮酸、
−３，３’−カルボニル−ビス−（４−ヒドロキシ−６−メトキシ）ベンゼンスルホン酸、
−２−シアノ−３，３−ジフェニルアクリル酸、および
−アントラニル酸、
ならびに化粧品に許容可能なそれらの塩またはエステル、
から選択されることを特徴とする、請求項１〜１３のいずれかに記載の使用。
【請求項１５】
残基Ｒ”が、少なくとも一つのベンゼン環および／または少なくとも一つのベンズイミダゾール環および／または少なくとも一つのボルニル環を含むことを特徴とする、請求項１３に記載の使用。
【請求項１６】
前記酸官能基が芳香環上にあることを特徴とする、請求項１５に記載の使用。
【請求項１７】
サンフィルターが、パラ−アミノ安息香酸、５−ベンゾイル−４−ヒドロキシ−２−メトキシベンゼンスルホン酸、２−フェニルベンジマドール−５−スルホン酸、３，３’−（１，４−フェニリデンジメチリデン）ビス−（７，７−ジメチル−２−オキソビシクロ［２，２，１］ヘプト−１−イルメタンスルホン）酸およびその塩、α−（オキソ−２−ボルニリデン−３）−トルエン−４−スルホン酸およびその塩、２−エチルヘキシル２−シアノ−３，３−ジフェニルアクリレート、４−メトキシ桂皮酸オクチル、およびエトキシル化４−アミノ安息香酸エチル、ならびに化粧品に許容可能なそれらの塩またはエステルからなる群から選択されることを特徴とする、請求項１５に記載の使用。
【請求項１８】
複合材料が、カルボキシルおよび／またはスルホン官能基の少なくとも一つによって、少なくとも一種のサンフィルター誘導体に、共有結合により化学的にグラフト化された二酸化チタンナノ粒子を含むことを特徴とする、請求項１〜１７のいずれかに記載の使用。
【請求項１９】
複合材料が、少なくとも一種のサンフィルター誘導体に、カルボキシルおよび／またはスルホン官能基の少なくとも一つによって共有結合により化学的にグラフト化された二酸化チタンナノ粒子を含み、該サンフィルターは、パラ−アミノ安息香酸、５−ベンゾイル−４−ヒドロキシ−２−メトキシベンゼンスルホン酸、２−フェニルベンズイミダゾール−５−スルホン酸、ならびに化粧品に許容可能なそれらの塩またはエステルからなる群から選択されることを特徴とする、請求項１〜１８のいずれかに記載の使用。
【請求項２０】
化粧品に許容可能な媒体中、単独で、または１以上の他の有機および／または無機フィルターと組み合わせて、請求項１〜１９のいずれかに定義される少なくとも一つの複合材料の有効量を含む化粧品組成物。
【請求項２１】
クリーム、オイル、ジェル、スプレー、ローション、または粉末の形態にある、請求項２０に記載の化粧品組成物。
【手続補正書】
【提出日】平成21年3月3日(2009.3.3)
【手続補正１】
【補正対象書類名】明細書
【補正対象項目名】００４４
【補正方法】変更
【補正の内容】
【００４４】
選択されるキラル触媒系は、上記化合物（Ｖ）で示される配位子を有するイリジウム系触媒を含む。より典型的なイリジウム系触媒は、化合物（ＩＸ）として本明細書において先に示されているホスフィン−オキサゾリン配位子を含む。好ましい配位子は、本明細書において先に化合物（Ｘ）として示された化合物である。
【手続補正２】
【補正対象書類名】明細書
【補正対象項目名】０１１５
【補正方法】変更
【補正の内容】
【０１１５】
Ｒ−エコール生成物のＬＣ−ＭＳトレース及びスペクトルを図８Ａ及び８Ｂにそれぞれ示す。
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
神経膠腫の血管新生、成長または拡散を阻害するのに有効な用量のニトロンフリーラジカル捕捉剤を含む、神経膠腫を有するヒト対象に投与して、その神経膠腫の血管新生、成長または拡散を阻害するための薬学的組成物。
【請求項２】
ニトロンフリーラジカル捕捉剤がN-アルキルニトロンフリーラジカル捕捉剤である、請求項1記載の薬学的組成物。
【請求項３】
薬剤がフェニルN-tert-ブチルニトロン、3-ヒドロキシフェニルN-tert-ブチルニトロン、2-ヒドロキシフェニルN-tert-ブチルニトロン、2-スルホキシフェニルN-tert-ブチルニトロンもしくは4-ヒドロキシフェニルN-tert-ブチルニトロン、またはその誘導体である、請求項1記載の薬学的組成物。
【請求項４】
ヒト対象が再発性または転移性神経膠腫を有する、請求項1記載の薬学的組成物。
【請求項５】
ヒト対象が以前に一つまたは複数の抗神経膠腫療法に失敗している、請求項1記載の薬学的組成物。
【請求項６】
有効用量が1日に体重1kgあたり約5から約150mgである、請求項1記載の薬学的組成物。
【請求項７】
投与を食事投与、経口投与または静脈内注射を通じて行う、請求項1記載の薬学的組成物。
【請求項８】
経口投与を丸剤または液剤の形態で行う、請求項7記載の薬学的組成物。
【請求項９】
静脈内注射を注射用媒体を含む混合物の形態で行う、請求項7記載の薬学的組成物。
【請求項１０】
食事投与を食物成分の補充を通じて行う、請求項7記載の薬学的組成物。
【請求項１１】
有効量が投与する食事の約0.005w/w％から約0.1w/w％である、請求項10記載の薬学的組成物。
【請求項１２】
神経膠腫が星状細胞腫、乏突起膠腫、または多形神経膠芽腫である、請求項1記載の薬学的組成物。
【請求項１３】
神経膠腫の発生を阻害するのに有効な用量のニトロンフリーラジカル捕捉剤を含む、神経膠腫を発生する危険性のあるヒト対象に投与して、その神経膠腫の発生を阻害するための薬学的組成物。
【請求項１４】
ニトロンフリーラジカル捕捉剤がN-アルキルニトロンフリーラジカル捕捉剤である、請求項13記載の薬学的組成物。
【請求項１５】
薬剤がフェニルN-tert-ブチルニトロン、3-ヒドロキシフェニルN-tert-ブチルニトロン、2-ヒドロキシフェニルN-tert-ブチルニトロン、2-スルホキシフェニルN-tert-ブチルニトロンもしくは4-ヒドロキシフェニルN-tert-ブチルニトロン、またはその誘導体である、請求項13記載の薬学的組成物。
【請求項１６】
ヒト対象が癌の家族歴を有するか、または発癌環境に曝露されたことがある、請求項13記載の薬学的組成物。
【請求項１７】
特異的な神経膠腫危険因子にN-ニトロソ化合物またはX線照射への曝露が含まれる、請求項16記載の薬学的組成物。
【請求項１８】
有効用量が1日に体重1kgあたり約5から約150mgである、請求項13記載の薬学的組成物。
【請求項１９】
投与を食事投与を通じて行う、請求項13記載の薬学的組成物。
【請求項２０】
食事投与を食物成分の補充を通じて行う、請求項19記載の薬学的組成物。
【請求項２１】
有効量が投与する食事の約0.005w/w％から約0.1w/w％である、請求項20記載の薬学的組成物。
【請求項２２】
神経膠腫が星状細胞腫、乏突起膠腫、または多形神経膠芽腫である、請求項13記載の薬学的組成物。
【請求項２３】
神経膠腫の発生を阻害するのに有効な用量のニトロンフリーラジカル捕捉剤を含む、以前に神経膠腫を有していた対象に投与して、神経膠腫の再発を阻害するための薬学的組成物。
【請求項２４】
ニトロンフリーラジカル捕捉剤がN-アルキルニトロンフリーラジカル捕捉剤である、請求項23記載の薬学的組成物。
【請求項２５】
薬剤がフェニルN-tert-ブチルニトロン、3-ヒドロキシフェニルN-tert-ブチルニトロン、2-ヒドロキシフェニルN-tert-ブチルニトロン、2-スルホキシフェニルN-tert-ブチルニトロンもしくは4-ヒドロキシフェニルN-tert-ブチルニトロン、またはその誘導体である、請求項23記載の薬学的組成物。
【請求項２６】
神経膠腫が星状細胞腫、乏突起膠腫、または多形神経膠芽腫である、請求項23記載の薬学的組成物。
【請求項２７】
有効用量が1日に体重1kgあたり約5から約150mgである、請求項23記載の薬学的組成物。
【請求項２８】
二次抗神経膠腫療法と組み合わせて使用する、請求項1記載の薬学的組成物。
【請求項２９】
二次抗神経膠腫療法が化学療法である、請求項28記載の薬学的組成物。
【請求項３０】
化学療法がロムスチン、ビンクリスチン、マチュレーン、PCV、BCNU、CCNUおよび/またはDFMOである、請求項29記載の薬学的組成物。
【請求項３１】
二次抗神経膠腫療法が放射線である、請求項28記載の薬学的組成物。
【請求項３２】
二次抗神経膠腫療法が手術である、請求項28記載の薬学的組成物。
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
被験体における出血の局所治療のための薬剤の製造における、脂質化組織因子（ＴＦ）またはその機能的断片の使用。
【請求項２】
被験体が健康な被験体または出血性素因がある被験体であり、前記出血性素因が血液凝固障害および／または血小板障害を含むものである、請求項１に記載の使用。
【請求項３】
血液凝固障害が先天性血液凝固障害または後天性血液凝固障害である、請求項２に記載の使用。
【請求項４】
先天性血液凝固障害が、凝固第Ｖ因子、凝固第ＶＩＩ因子、凝固第ＶＩＩＩ因子、凝固第ＩＸ因子、凝固第Ｘ因子、凝固第ＸＩ因子、凝固第ＸＩＩ因子、凝固第ＸＩＩＩ因子およびそれらの組み合わせから選択される凝固因子の欠乏に基づく血液凝固障害である、請求項３に記載の使用。
【請求項５】
被験体が、抗凝固剤による抗凝固剤治療によって引き起こされる後天性血液凝固障害を有する、請求項３に記載の使用。
【請求項６】
抗凝固剤が、ヘパリン、低分子量ヘパリン、ワルファリン、クマリン誘導体またはジクマリンである、請求項５に記載の使用。
【請求項７】
被験体が、先天性または後天性の血小板障害を有する、請求項２に記載の使用。
【請求項８】
先天性血小板障害が、Ｇｌａｎｚｍａｎｎ病、ベルナール-スーリエ症候群、Ｂｏｌｉｎ−Ｊａｍｉｅｓｏｎ症候群、ウィスコット−アルドリッチ症候群、Ｐａｒｉｓ−Ｔｒｏｕｓｓｅａｕ−Ｊａｃｏｂｓｅｎ症候群、Ｘ染色体の血小板減少症、灰色血小板症候群、Ｓｅｂａｓｔｉａｎ症候群およびファンコーニ貧血から選択されるものである、請求項７に記載の使用。
【請求項９】
後天性血小板障害が、血小板血症、多血症または慢性骨髄性白血病などの骨髄増殖性疾患；骨髄様化生；壊血病、先天性心臓病、および肝硬変におけるタンパク異常血症から選択されるものである、請求項７に記載の使用。
【請求項１０】
脂質化ＴＦが脂質化されたヒトＴＦである、請求項１に記載の使用。
【請求項１１】
（ｉ）脂質化ＴＦおよび（ｉｉ）活性型凝固第Ｘ因子（ＦＸａ）を、別々に、または被験体への同時または連続投与のための組み合わせとして含んでなる、製品。
【請求項１２】
（ｉ）脂質化ＴＦおよび（ｉｉ）負に荷電した無機表面（ＮＣＩＳ）を、別々に、または被験体への同時または連続投与のための組み合わせとして含んでなる、製品。
【請求項１３】
（ｉ）脂質化ＴＦ、（ｉｉ）ＦＸａおよび（ｉｉｉ）ＮＣＩＳを、別々に、または被験体への同時または連続投与のための組み合わせとして含んでなる、製品。
【請求項１４】
脂質化ＴＦが脂質化されたヒトＴＦである、請求項１１〜１３のいずれか一項に記載の製品。
【請求項１５】
薬剤としての、請求項１１〜１４のいずれか一項に記載の製品。
【請求項１６】
被験体における出血の治療のための薬剤の製造における、請求項１１〜１４のいずれか一項に記載の製品の使用。
【請求項１７】
被験体における出血の局所治療のための薬剤の製造における、請求項１１〜１４のいずれか一項に記載の製品の使用。
【請求項１８】
脂質化ＴＦおよびＦＸａを含んでなる、複合体（ＴＦ：：ＦＸａ）。
【請求項１９】
脂質化ＴＦおよびＮＣＩＳを含んでなる、複合体ＴＦ：：ＮＣＩＳ。
【請求項２０】
脂質化ＴＦ、ＦＸａおよびＮＣＩＳを含んでなる、複合体ＴＦ：：ＦＸａ：：ＮＣＩＳ。
【請求項２１】
薬剤としての、請求項１８〜２０のいずれか一項に記載の複合体。
【請求項２２】
被験体における出血の治療のための薬剤の製造における、請求項１８〜２０のいずれか一項に記載の複合体の使用。
【請求項２３】
被験体における出血の局所治療のための薬剤の製造における、請求項１８〜２０のいずれか一項に記載の複合体の使用。
【請求項２４】
ａ）医薬的に許容可能なベヒクルと共に請求項１１に記載の製品；または
ｂ）別々に、（ｉ）医薬的に許容可能なベヒクルと共に脂質化ＴＦ、および（ｉｉ）医薬的に許容可能なベヒクルと共にＦＸａ；または
ｃ）医薬的に許容可能なベヒクルと共に請求項１２に記載の製品；または
ｄ）別々に、（ｉ）医薬的に許容可能なベヒクルと共に脂質化ＴＦ、および（ｉｉ）医薬的に許容可能なベヒクルと共にＮＣＩＳ；または
ｅ）医薬的に許容可能なベヒクルと共に請求項１３に記載の製品；または
ｆ）別々に、（ｉ）医薬的に許容可能なベヒクルと共に脂質化ＴＦ、（ｉｉ）医薬的に許容可能なベヒクルと共にＦＸａ、および（ｉｉｉ）医薬的に許容可能なベヒクルと共にＮＣＩＳ；または
ｇ）医薬的に許容可能なベヒクルと共に請求項１８に記載のＴＦ：：ＦＸａ複合体；または
ｈ）医薬的に許容可能なベヒクルと共に請求項１９に記載のＴＦ：：ＮＣＩＳ複合体；または
ｉ）医薬的に許容可能なベヒクルと共に請求項２０に記載のＴＦ：：ＦＸａ：：ＮＣＩＳ複合体
を含んでなる、医薬組成物。
【請求項２５】
局所投与のための医薬的投与形態である、請求項２４に記載の医薬組成物。
【請求項２６】
請求項２４または２５に記載の医薬組成物、および支持体を含んでなる、製品。
【請求項２７】
医薬組成物を含む製品であって、
（ｉ）支持体、（ｉｉ）医薬的に許容可能なベヒクルと共に請求項１１に記載の製品、（ｉｉｉ）医薬的に許容可能なベヒクルと共に請求項１２に記載の製品、および（ｉｖ）医薬的に許容可能なベヒクルと共に請求項１３に記載の製品；または
医薬的に許容可能なベヒクルと共に請求項１８に記載のＴＦ：：ＦＸａ複合体；または
医薬的に許容可能なベヒクルと共に請求項１９に記載のＴＦ：：ＮＣＩＳ複合体；または
医薬的に許容可能なベヒクルと共に請求項２０に記載のＴＦ：：ＦＸａ：：ＮＣＩＳ複合体
を含んでなる、製品。
【請求項２８】
凝固第ＶＩＩ因子欠乏症の被験体における出血の治療のための薬剤の製造のための、非脂質化ＴＦまたはその機能的断片の使用。
【請求項２９】
非脂質化ＴＦまたはその断片の非経口投与のための薬剤の製造における、請求項２８に記載の使用。
【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
ヒアルロン酸及び／又はその誘導体の化学的医薬複合体であって、前記多糖類と抗腫瘍作用を有する薬剤との間の、HA及び／又はその誘導体のカルボキシル基とエステル又はアミド結合を形成する分子スペーサーを介した間接的結合によって得られ、前記スペーサーがヒドラジド又はポリペプチドでないことを条件とする、前記化学的医薬複合体。
【請求項２】
薬剤が、ニトロソウレア、代謝拮抗物質、アルカロイド、抗生物質及び類似生成物、生物学的応答改変物質、ジテルペノイド、合成ホルモン、並びにホルモン拮抗物質の群から選択される、請求項1に記載の化学的医薬複合体。
【請求項３】
薬剤が、ピリミジンの類似生成物から成る代謝拮抗物質である、請求項2に記載の化学的医薬複合体。
【請求項４】
薬剤が、アルカロイドである、請求項2に記載の化学的医薬複合体。
【請求項５】
薬剤が、抗生物質である、請求項2に記載の化学的医薬複合体。
【請求項６】
薬剤が、ホルモンである、請求項2に記載の化学的医薬複合体。
【請求項７】
ヒアルロン酸及び／又はその誘導体の１つのカルボキシルでの置換度が１から100%の範囲である、請求項1に記載の化学的医薬複合体。
【請求項８】
薬剤がドキソルビシンであり、ドキソルビシンと結合したスペーサーのヒアルロン酸のカルボキシルでの置換度が1から20%の範囲である、請求項7に記載の化学的医薬複合体。
【請求項９】
薬剤がSN38であり、SN38と結合したスペーサーのヒアルロン酸のカルボキシルでの置換度が3から15%の範囲である、請求項7に記載の化学的医薬複合体。
【請求項１０】
ヒアルロン酸及び／又はその誘導体の１つが、400から3ｘ106 Daの範囲の分子量を有する、請求項1に記載の化学的医薬複合体。
【請求項１１】
ヒアルロン酸が、5,000から1ｘ106 Daの範囲の分子量を有する、請求項10に記載の化学的医薬化合物。
【請求項１２】
ヒアルロン酸が、30,000から0.5ｘ106 Daの範囲の分子量を有する、請求項11に記載の化学的医薬化合物。
【請求項１３】
ヒアルロン酸の誘導体が有機及び／又は無機塩基との塩である、請求項1に記載の化学的医薬複合体。
【請求項１４】
ヒアルロン酸の誘導体が、ヒアルロン酸と脂肪族、アルアリファチック、シクロ‐脂肪族、芳香族、環式及び複素環式系列のアルコールとのエステルであり、75%を超えないエステル化百分率を有する、請求項1に記載の化学的医薬複合体。
【請求項１５】
ヒアルロン酸の誘導体が、ヒアルロン酸と脂肪族、アルアリファチック、シクロ‐脂肪族、芳香族、環式及び複素環式系列のアミンとのアミドであり、１から10%の範囲のアミド化百分率を有する、請求項1に記載の化学的医薬複合体。
【請求項１６】
ヒアルロン酸の誘導体が、ヒアルロン酸の第四級硫酸化度までのO-硫酸化誘導体である、請求項1に記載の化学的医薬複合体。
【請求項１７】
ヒアルロン酸の誘導体が、0.5から10%の範囲のエステル化百分率を有する内部エステルである、請求項1に記載の化学的医薬複合体。
【請求項１８】
ヒアルロン酸の誘導体が、N-アセチルグルコサミン分画の脱アセチル化によって得られ、0.1から30%の範囲の脱アセチル化百分率を有する、請求項1に記載の化学的医薬複合体。
【請求項１９】
ヒアルロン酸の誘導体が、N-アセチルグルコサミン分画の第一ヒドロキシルの酸化によって得られるペルカルボキシル化誘導体であり、0.1から100%の範囲のペルカルボキシル化度を有する、請求項1に記載の化学的医薬複合体。
【請求項２０】
スペーサーが脂肪族、アルアリファチック、脂環式、複素環式の鎖から成り、直鎖若しくは分枝鎖であり、ヒドロキシル、カルボキシル、カルボニル、アミン、エポキシ基、酸の塩化物、チオール、ニトリル、ハロゲン、無水物、イソシアネート、及びイソチオシアネートを有する、請求項1に記載の化学的医薬複合体。
【請求項２１】
スペーサーが、2から10の範囲の炭素原子数を有するカルボン酸によって表される、請求項20に記載の化学的医薬複合体。
【請求項２２】
スペーサーがブロモプロピオン酸である、請求項21に記載の化学的医薬複合体。
【請求項２３】
スペーサーがブロモ酪酸である、請求項21に記載の化学的医薬複合体。
【請求項２４】
請求項1から23のいずれか1項に記載の化学的医薬複合体の1つ又は2つ以上を有効成分として有する医薬組成物。
【請求項２５】
経口、静脈内、動脈内、鞘内、筋肉内、皮下、腹腔内、関節内、局所、経皮投与用、又は新生組織形成部位への直接投与用の、請求項24に記載の医薬組成物。
【請求項２６】
ヒドロゲル、ナノ及びミクロ粒子、織られた紡糸繊維又は織られていない紡糸繊維の形態に加工した、請求項1に記載の三次元バイオマテリアル。
【請求項２７】
腫瘍学分野で使用される医薬組成物の製造を目的とする、請求項1〜23のいずれか1項に記載の化学的医薬複合体の使用。
【請求項２８】
膵臓、乳房、結腸-直腸、肺臓及び呼吸器系全体、頭部-頸部、肝臓、胃、精巣、卵巣、子宮内膜、前立腺、膀胱、脳の腫瘍、白血病、リンパ腫、メラノーマ、カポジ肉腫、骨肉腫、神経芽腫並びに皮膚癌の全身的又は局所的治療を目的とする、請求項26に記載の使用。
【請求項２９】
以下の選択可能な工程a）、b）又はc）にしたがいヒアルロン酸のカルボキシル基とエステル結合を形成するスペーサーの手段によって、ヒアルロン酸又はその誘導体の1つ及び抗腫瘍活性を有する薬剤の間接的複合体を形成することによる、請求項1−23のいずれか1項に記載の化学的医薬複合体を製造する方法：
Ia）HAのカルボキシル基と反応することができる第二の脱離基を更に含む、適切に選択したスペーサーの官能基と、選択した抗腫瘍性分子に属する官能基とを反応させる工程；
IIa）反応が、活性化剤の手段により関連する機能の1つの活性化を多分に要求することができる工程；
IIIa）無水環境におけるHAのテトラ-アルキルアンモニウム塩との直接接触により、第二相で、改変薬剤から成る化合物が反応してHAのカルボキシルで脱離基の求核置換を生じ、HAとスペーサーとの間にエステル結合を形成する工程；
Ib）ヒアルロン酸のカルボキシル基が、適切なスペーサーとの求核接着によって結合し、前記スペーサーが続いて抗腫瘍性分子の官能基と結合する工程；
Ic）HAのカルボキシル基が活性化剤により活性化され、かつ、適切に選択され、あらかじめ薬剤に結合させた又は後に薬剤に結合させるスペーサーのヒドロキシル基と反応する工程。
【請求項３０】
ヒアルロン酸又はその誘導体の1つ及び抗腫瘍活性を有する薬剤を、以下の工程にしたがって、ヒアルロン酸のカルボキシル基とアミド結合を形成するスペーサーの手段によって間接的に複合体を形成させることによる、請求項1〜23のいずれか1項に記載の化学的医薬複合体を製造する方法：
−ヒアルロン酸のカルボキシル基を活性化剤により活性化し、あらかじめ薬剤に結合させた又は後に薬剤に結合させる、適切に選択したスペーサーのアミン基と反応させる工程。
【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
以下を含む硬化性歯科組成物：
（ａ）重合性構成要素；及び
（ｂ）充填剤の表面に付着する第一ポリ酸。
【請求項２】
更に以下を含む請求項１に記載の硬化性歯科組成物；
（ｃ）第二ポリ酸；
（ｄ）酸反応性充填剤；及び
（ｅ）水。
【請求項３】
以下を含む多部硬化性歯科組成物：
（ａ）第一ポリ酸を含む第一部；
（ｂ）酸反応性充填剤を含む第二部；
（ｃ）充填剤に付着する第二ポリ酸、該第二ポリ酸は第一部に存在する；
（ｄ）第一部、第二部、又は両方の部に存在する重合性構成要素；及び
（ｅ）第一部に存在する水。
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
グアニジノ酢酸成分の水性溶液およびコリン、メチオニンおよびベタインの群から成る少なくとも１種のメチル基供与体から成る液体配合物の、完成した飲料中での使用。
【請求項２】
グアニジノ酢酸成分が、グアニジノ酢酸および／または少なくとも１種のその塩、付加化合物または錯化合物である、請求項１に記載の使用。
【請求項３】
グアニジノ酢酸成分が、液体配合物中に０．１〜４．０ｇ／ｌおよび好ましくは２．５〜３．５ｇ／ｌの量で存在する、請求項１または２に記載の使用。
【請求項４】
グアニジノ酢酸成分が、グアニジノ酢酸とリンゴ酸、アスパラギン酸、アスコルビン酸、コハク酸、ピルビン酸、フマル酸、グルコン酸、α−ケトグルタル酸、シュウ酸、ピログルタミン酸、３−ニコチン酸、乳酸、クエン酸、マレイン酸、硫酸、酢酸、蟻酸、２−ヒドロキシ安息香酸、Ｌ−カルニチン、アセチル−Ｌ−カルニチン、タウリン、ベタイン、コリン、メチオニンおよびリポン酸ならびにナトリウム、カリウムまたはカルシウムとの化合物である、請求項１から３までのいずれか１項に記載の使用。
【請求項５】
グアニジノ酢酸成分およびメチル基供与体を１：１０〜１０：１の質量比で使用する、請求項１から４までのいずれか１項に記載の使用。
【請求項６】
炭水化物、脂肪、アミノ酸、タンパク質、ビタミン、無機材料、微量元素ならびにその誘導体およびこれらの混合物の群から成る、他の生理学的活性化合物を含有する、請求項１から５までのいずれか１項に記載の使用。
【請求項７】
工業的に製造され完成した飲料としてミネラルウォーター、レモネード、スポーツ飲料、ミネラル飲料、フルーツ飲料、フルーツジュース、乳飲料、乳清飲料またはアルコール含有飲料の形での、あるいは、飲料水調製物としての、請求項１から６までのいずれか１項に記載の使用。
【請求項８】
生理学的強壮剤および特にヒトのための、好ましくは学校、スポーツ、回復および老人病学の分野における機能性食品としての、請求項１から７までのいずれか１項に記載の配合物の使用。
【請求項９】
配合物を栄養補助剤と一緒に、特に医学的分野において使用する、請求項８に記載の使用。
【請求項１０】
水性溶液がｐＨ２．５〜１１である、請求項１から９までのいずれか１項に記載の使用。
【請求項１１】
グアニジノ酢酸成分の水性溶液およびコリン、メチオニンおよびベタインの群から成る少なくとも１種のメチル基供与体から成る液体配合物を含有する完成した飲料。